(57)【要約】【課題】商品又はその包装部材に設けられた固有ラベルを容易に真贋判定することができるラベル収集シートを提供する。【解決手段】商品又はその包装部材に設けられた真贋表示部４２を備えた固有ラベル４０を、複数枚貼り付けて収集するラベル収集シート１０において、固有ラベル４０を貼り付けるラベル貼付部２１と、ラベル貼付部２１に貼り付けた固有ラベル４０の真贋表示部４２に重ねることにより、固有ラベル４０の真贋を判別する真贋判別部３１とを備える。【選択図】図１
2008201000.tif 000002
【特許請求の範囲】
【請求項１】
商品又はその包装部材に設けられた真贋表示部を備えた固有ラベルを、複数枚貼り付けて収集するラベル収集シートにおいて、
前記固有ラベルを貼り付けるラベル貼付部と、
前記ラベル貼付部に貼り付けた前記固有ラベルの前記真贋表示部に重ねることにより、前記固有ラベルの真贋を判別する真贋判別部と、
を備えるラベル収集シート。
【請求項２】
請求項１に記載のラベル収集シートにおいて、
前記真贋表示部は、光の選択反射特性を有する光選択反射層であること、
を特徴とするラベル収集シート。
【請求項３】
請求項２に記載のラベル収集シートにおいて、
前記光選択反射層の光の選択反射特性は、円偏光性であること、
を特徴とするラベル収集シート。
【請求項４】
請求項３に記載のラベル収集シートにおいて、
前記光選択反射層は、コレステリック液晶により形成されること、
を特徴とするラベル収集シート。
【請求項５】
請求項３又は請求項４に記載のラベル収集シートにおいて、
前記真贋判別部は、円偏光性のフィルム基材であること、
を特徴とするラベル収集シート。
【請求項６】
請求項５に記載のラベル収集シートにおいて、
前記真贋判別部の円偏光性は、右円偏光性であり、
前記真贋表示部の円偏光性は、左円偏光性であること、
を特徴とするラベル収集シート。
【請求項７】
請求項５に記載のラベル収集シートにおいて、
前記真贋判別部の円偏光性は、左円偏光性であり、
前記真贋表示部の円偏光性は、右円偏光性であること、
を特徴とするラベル収集シート。
【請求項８】
請求項１から請求項７までのいずれか１項に記載のラベル収集シートにおいて、
前記固有ラベルは、光回折構造形成層を備えること、
を特徴とするラベル収集シート。
【請求項９】
請求項１から請求項８までのいずれか１項に記載のラベル収集シートにおいて、
前記ラベル貼付部は、前記固有ラベルの貼付面に、接着層を介して剥離基材を備え、
前記剥離基材を剥がして前記接着層により前記固有ラベルを貼り付けること、
を特徴とするラベル収集シート。
【請求項１０】
請求項１から請求項９までのいずれか１項に記載のラベル収集シートにおいて、
当該ラベル収集シートは、前記真贋判別部を、前記固有ラベルを貼り付けた前記ラベル貼付部に折り重ねる折れ線部を備えること、
を特徴とするラベル収集シート。
【請求項１１】
請求項１から請求項１０までのいずれか１項に記載のラベル収集シートにおいて、
前記固有ラベルは、複数の前記真贋表示部を備えること、
を特徴とするラベル収集シート。
【発明の詳細な説明】
【技術分野】
【０００１】
本発明は、商品又はその包装部材に設けられた固有ラベルを、貼り付けて収集するラベル収集シートに関するものである。
【背景技術】
【０００２】
昨今、ブランド商品などの模倣品の横行に伴い、さまざまな偽造対策が実施されている。主な偽造防止対策として、商品又は商品の包装箱などに、偽造防止用ホログラム（光回折構造）などを設けたラベルを、貼付又は転写することで対応しているが、精巧な偽造品の場合には、目視だけでは真贋判定が困難である。そこで、最近ではホログラムの真贋判定に、目視だけでなく多種多様の真贋判別ツールが提案、製品化されている（例えば、特許文献１）。
特許文献１の発明は、左円偏光又は右円偏光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部とを有し、ホログラムの左円偏光又は右円偏光のいずれか一方の光のみを透過する判別具である。しかし、このような判別具では、商品のメーカの調査員がこの判別ツールを利用し、販売店などにおいて偽造品がないか１つずつ確認する必要があるので、この方法では偽造品の調査に時間とコストが多大にかかるという問題があった。また、全国の販売店に商品が売られている場合には、各販売店において商品を全て確認するのは不可能であった。
【特許文献１】ＷＯ００／０１３０６５号公報
【発明の開示】
【発明が解決しようとする課題】
【０００３】
本発明の課題は、商品又はその包装部材に設けられた固有ラベルを容易に真贋判定することができるラベル収集シートを提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、商品又はその包装部材に設けられた真贋表示部（４２）を備えた固有ラベル（４０）を、複数枚貼り付けて収集するラベル収集シート（１０）において、前記固有ラベル（４０）を貼り付けるラベル貼付部（２１）と、前記ラベル貼付部（２１）に貼り付けた前記固有ラベル（４０）の前記真贋表示部（４２）に重ねることにより、前記固有ラベル（４０）の真贋を判別する真贋判別部（３１）とを備えるラベル収集シート（１０）である。
【０００５】
請求項２の発明は、請求項１に記載のラベル収集シート（１０）において、前記真贋表示部（４２）は、光の選択反射特性を有する光選択反射層（４２）であることを特徴とするラベル収集シート（１０）である。
【０００６】
請求項３の発明は、請求項２に記載のラベル収集シート（１０）において、前記光選択反射層（４２）の光の選択反射特性は、円偏光性であることを特徴とするラベル収集シート（１０）である。
【０００７】
請求項４の発明は、請求項３に記載のラベル収集シート（１０）において、前記光選択
反射層（４２）は、コレステリック液晶により形成されることを特徴とするラベル収集シート（１０）である。
【０００８】
請求項５の発明は、請求項３又は請求項４に記載のラベル収集シート（１０）において、前記真贋判別部（３１）は、円偏光性のフィルム基材であることを特徴とするラベル収集シート（１０）である。
【０００９】
請求項６の発明は、請求項５に記載のラベル収集シート（１０）において、前記真贋判別部（３１）の円偏光性は、右円偏光性であり、前記真贋表示部（４２）の円偏光性は、左円偏光性であることを特徴とするラベル収集シート（１０）である。
【００１０】
請求項７の発明は、請求項５に記載のラベル収集シート（１０）において、前記真贋判別部（３１）の円偏光性は、左円偏光性であり、前記真贋表示部（４２）の円偏光性は、右円偏光性であることを特徴とするラベル収集シート（１０）である。
【００１１】
請求項８の発明は、請求項１から請求項７までのいずれか１項に記載のラベル収集シート（１０）において、前記固有ラベル（４０）は、光回折構造形成層（４３）を備えることを特徴とするラベル収集シート（１０）である。
【００１２】
請求項９の発明は、請求項１から請求項８までのいずれか１項に記載のラベル収集シート（１０）において、前記ラベル貼付部（２１）は、前記固有ラベル（４０）の貼付面に、接着層（２２）を介して剥離基材（２３）を備え、前記剥離基材（２３）を剥がして前記接着層（２２）により前記固有ラベル（４０）を貼り付けることを特徴とするラベル収集シート（１０）である。
【００１３】
請求項１０の発明は、請求項１から請求項９までのいずれか１項に記載のラベル収集シート（１０）において、当該ラベル収集シート（１０）は、前記真贋判別部（３１）を、前記固有ラベル（４０）を貼り付けた前記ラベル貼付部（２１）に折り重ねる折れ線部（１１）を備えることを特徴とするラベル収集シート（１０）である。
【００１４】
請求項１１の発明は、請求項１から請求項１０までのいずれか１項に記載のラベル収集シート（１０）において、前記固有ラベル（４０）は、複数の前記真贋表示部（４２）を備えることを特徴とするラベル収集シート（１０）である。
【発明の効果】
【００１５】
以上説明したように、本発明によれば、以下のような効果がある。
（１）ラベル収集シートは、真贋表示部を有した固有ラベルを貼付するラベル貼付部と、真贋表示部の真贋を判別する真贋判別部とを備えているので、ラベル収集シートに固有ラベルを収集するとともに、固有ラベルの真贋判別を容易に行うことができる。
（２）真贋表示部は、光の選択反射特性のある光選択反射層であるので、光の反射特性を利用することにより、固有ラベルの真贋を、真贋判別部を用いて目視により判別することができる。
（３）光選択反射層の光の選択反射特性は、円偏光性であるので、簡易な構成で真贋判別をすることができる。
（４）光選択反射層は、コレステリック液晶により形成されているので、円偏光性を備えた層を容易に形成することができる。
【００１６】
（５）真贋判別部は、円偏光性のフィルム基材であるので、簡易な構成で固有ラベルの光選択反射層の真贋を判別することができる。
（６）真贋判別部は右円偏光性であり、真贋表示部は左円偏光性であるので、固有ラベル
の左円偏光性の反射光は、真贋判別部の右円偏光性により遮断させることができる。
（７）真贋判別部が左円偏光性であり、真贋表示部が右円偏光性であるので、固有ラベルの右円偏光の反射光は、真贋判別部の左円偏光性により遮断させることができる。
（８）固有ラベルは、光回折構造形成層を備えているので、固有ラベルの偽造を視覚的に抑止し、セキュリティ性を向上させることができる。
（９）ラベル貼付部は、固有ラベルの貼付面に、接着層を介して剥離基材を備えているので、剥離基材を剥がすことにより固有ラベルを容易にラベル貼付部に貼り付けることができる。
【００１７】
（１０）ラベル収集シートは、折れ線部を備えているので、固有ラベルを貼り付けたラベル貼付部に真贋判別部を折り重ねて、容易に固有ラベルの真贋表示部を真贋判別することができる。
（１１）固有ラベルは、複数の真贋表示部を備えているので、真贋判別機能を多種多様に設定することができ、それにより、偽造防止機能を向上させることができる。
【発明を実施するための最良の形態】
【００１８】
本発明は、商品又はその包装部材に設けられた固有ラベルを容易に真贋判別することができるラベル収集シートを提供するという目的を、ラベル貼付部に、真贋表示部を有した固有ラベルを貼り付けて、真贋表示部に真贋判別部を重ねて真贋判別することにより実現する。
【実施例】
【００１９】
以下、図面等を参照して、本発明の実施例をあげて、さらに詳しく説明する。
図１は、本発明による実施例の固有ラベル及びポイントカードを示す図である。なお、図１（Ａ）は、商品に貼り付けられた固有ラベルを示す図であり、図１（Ｂ）は、固有ラベルをポイントカードに貼り付けるときの図であり、図１（Ｃ）は、判別フィルムにより固有ラベルの真贋を判別するときの図である。また、図２は、固有ラベルの詳細を示す図である。なお、図２（Ａ）は、固有ラベルの平面図であり、図２（Ｂ）は側面図である。
ポイントカード１０は、図１に示すように、商品１００などに貼付されている固有ラベル４０を収集し、また、その固有ラベル４０の真贋を判別することができるカードであり（ラベル収集シート）、折れ線部１１を挟んでラベル貼付基材部２０及び真贋判別基材部３０を連接した構造である。
【００２０】
ラベル貼付基材部２０は、片面に、複数の固有ラベル４０を貼り付けることができるラベル貼付部２１を有した基材部である。
ラベル貼付部２１は、複数の欄を備え、複数の固有ラベル４０を貼り付けることができる貼付欄である。ラベル貼付部２１の各欄には、固有ラベル４０とほぼ同形状の剥離紙２３が接着層２２により貼付されており、剥離紙２３を剥がすことにより、固有ラベル４０を貼り付けることができる。
真贋判別基材部３０は、中央部に、ラベル貼付部２１とほぼ同形状の判別フィルム３１を配置した基材部である。
判別フィルム３１は、右円偏光は透過するが、左円偏光は透過しないという右円偏光性の特性を持つようにコレステリック液晶配向を固定化した高分子フィルムである（真贋判別部）。高分子フィルムは、例えば、特定の低分子液晶をコレステリック配向させて、光又は熱反応させることにより配向状態を固定化したり、サーモトロピック高分子液晶を液晶状態でコレステリック配向させ、液晶の転移点以下の温度で冷却することにより、配向状態を固定化したりして作製することができる。
【００２１】
固有ラベル４０は、図２に示すように、保護層４１、光選択反射層４２、光回折構造形成層４３、反射層４４、ラベル基材４５、ラベル接着層４６により形成され、商品１００
に貼付される商品固有のブランドを示す粘着シールである。
保護層４１は、固有ラベル４０の表面を保護する層である。
光選択反射層４２は、見る角度によって色彩が可変する円偏光性を有したコレステリック液晶を、パターン印刷により印刷した層であり、本実施例では、左円偏光性の「Ｄ」の文字を形成している。コレステリック液晶の印刷は、他に、重合成コレステリック液晶溶液を用いてグラビア印刷して紫外線を照射する手法など、基材の種類や用途に応じて種種の方法を用いることができる。
光回折構造形成層４３は、紫外線や電子ビームなどの電離放射線を使用して光回折パターンやホログラムパターン等からなる光回折構造（レリーフ）を樹脂に記録している。
光（自然光）を当てることにより、前記光回折構造の作用により立体画像を再生することができ、固有ラベル４０の偽造防止対策の１つとして、偽造の抑止力を向上させることができる。
反射層４４は、光回折構造形成層４３により形成される立体画像の視認性を向上させるための層であり、例えば、アルミニウムなどの金属からなる不透明な反射層、または、光回折構造形成層４３と屈折率の異なる透明材料からなる透明薄膜層、誘電体多層膜、あるいは、半透明になる薄い金属反射膜からなる透明反射層を蒸着して形成される。
ラベル基材４５は、ＰＥＴフィルムにより形成された固有ラベル４０の基材である。
ラベル接着層４６は、商品１００に固有ラベル４０を貼り付けるための再貼付不可能な接着層である。
【００２２】
次に、本実施例のポイントカード１０の使用方法について説明する。
商品１００を購入した顧客は、図１（Ａ）に示すように、商品１００に貼付された固有ラベル４０を剥がし、図１（Ｂ）に示すように、ポイントカード１０のラベル貼付部２１の剥離紙２３を剥がして、商品１００から剥がした固有ラベル４０（４０−１、４０−２）を接着層２２に貼り付ける（矢印Ａ）。
固有ラベル４０をポイントカード１０に貼り付けたら、真贋判別基材部３０を折れ線部１１によりラベル貼付基材部２０に折り重ねる（矢印Ｂ）。折り重ねると、ラベル貼付部２１に貼り付けられた固有ラベル４０（４０−１、４０−２）が、判別フィルム３１を透過して視認される。視認した固有ラベル４０が適正なものであれば、固有ラベル４０の中央に印刷された「Ｄ」の文字は、左円偏光性で印刷されているので、右円偏光性の判別フィルム３１には透過されずに、図１（Ｃ）の固有ラベル４０−１のように、「Ｄ」の文字のみが消えて、光回折構造形成層４３の立体画像のみが表示される。一方、固有ラベル４０が偽造されたものであれば、「Ｄ」の文字が円偏光性で印刷されていないので、図１（Ｃ）の固有ラベル４０−２のように、「Ｄ」の文字を含めた全ての図柄が透過されてしまい、偽物であることが判別できる。
【００２３】
以上より、本実施例のポイントカードには以下のような効果がある。
（１）ポイントカード１０は、光選択反射層４２を設けた固有ラベル４０を貼付するラベル貼付部２１と、光選択反射層４２の真贋を判別する判別フィルム３１とを備えているので、ポイントカード１０に固有ラベル４０を収集するのとともに、固有ラベル４０の真贋判別を容易に行うことができる。
（２）光選択反射層４２の光の選択反射特性は、円偏光性であるので、簡易な方法で真贋判別をすることができる。
（３）光選択反射層４２は、コレステリック液晶により形成されているので、円偏光性を備えた層を容易に形成することができる。
【００２４】
（４）判別フィルム３１は、円偏光性のフィルム基材であるので、簡易な方法で固有ラベル４０の真贋を判別することができる。
（５）判別フィルム３１が右円偏光性であり、光選択反射層４２が左円偏光性であるので、固有ラベル４０の左円偏光性の「Ｄ」の文字は、判別フィルム３１では、右円偏光性に
より遮断され、透過させないようにすることができる。
（６）固有ラベル４０は、光回折構造形成層４３を備えているので、固有ラベル４０の偽造を視覚的に抑止し、セキュリティ性を向上させることができる。
（７）ポイントカード１０は、ラベル貼付部２１に接着層２２を介して剥離紙２３を備えているので、剥離紙２３を剥離することにより、固有ラベル４０を容易にラベル貼付部２１に貼り付けることができる。
【００２５】
（８）ポイントカード１０は、判別フィルム３１を、固有ラベル４０を貼り付けたラベル貼付部２１に折り重ねる折れ線部１１を備えているので、容易に固有ラベル４０の光選択反射層４２を真贋判別することができる。
【００２６】
（変形例）
以上説明した実施例に限定されることなく、種々の変形や変更が可能であって、それらも本発明の範囲内である。
（１）本実施例では、判別フィルム３１が右円偏光性であり、光選択反射層４２が左円偏光性であったが、判別フィルム３１が左円偏光性であり、光選択反射層４２が右円偏光性であってもよい。
（２）本実施例では、固有ラベル４０は、左円偏光性の光選択反射層４２を設けたが、固有ラベル４０に左円偏光性及び／又は右円偏光性の複数の光選択反射層４２を設けてもよい。複数の光選択反射層を設けることにより、真贋判別機能を多種多様に設定することができ、それにより、偽造防止機能を向上させることができる。
【００２７】
（３）本実施例では、光選択反射層４２は、コレステリック液晶をパターン印刷して形成したが、それ以外の方法を用いて形成してもよい。例えば、光回折構造形成層などを付加した円偏光性を有する高分子フィルムをラベル基材４５に貼付することも可能であり、図３に示すように、円偏光性を伴うホログラム像（立体画像）を作り出して、真贋判別したときの判別フィルム３１に、固有ラベル４０の「Ｄ」の文字だけでなく、その周辺の模様（立体画像）をも透過させなくすることも可能である。
（４）本実施例では、ラベル貼付基材部２０は１枚であったが、複数枚備えてもよい。例えば、図４に示すように、ラベル貼付基材部２０を２枚連接させて、折り重ねたとき（矢印Ｃ、Ｄ）に判別フィルム３１と接する面にラベル貼付部２１を設けた形態にすることも可能である。
（５）本実施例では、固有ラベル４０は、ラベル接着層４６を備えた粘着シールであったが、固有ラベル４０自体を商品１００に直接転写してもよい。その場合、固有ラベル４０は、商品１００から切り取られて、ポイントカード１０に貼付される。
【図面の簡単な説明】
【００２８】
【図１】本発明による実施例のポイントカードの詳細を示す図である。
【図２】本発明による実施例の固有ラベルの断面を示す図である。
【図３】本発明による変形例を示す図である。
【図４】本発明による変形例を示す図である。
【符号の説明】
【００２９】
１０  ポイントカード
２０  ラベル貼付基材部
２１  ラベル貼付部
３０  真贋判別基材部
３１  判別フィルム
４０  固有ラベル
４２  光選択反射層
１００  商品
【図１】
2008201000.tif 000003
【図２】
2008201000.tif 000004
【図３】
2008201000.tif 000005
【図４】
2008201000.tif 000006